【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
ＣＤＭＡ無線インタフェース経由で送信機（１９）から通信信号を受信する受信機において復号化の前に所望のトラヒック信号から被選択信号を除去する消去システムにおいて、
前記通信信号を受けるシステム入力（１４７）を含み、
前記所望のトラヒック信号から不要トラヒック信号を減算した差に等しい出力（Ｏ）を有するトラヒック信号消去システム（１０１）に前記システム入力（１４７）が入力（１０３）として入力されており、
前記所望のトラヒック信号からグローバルパイロット信号を減算した差に等しい出力（Ｏａｄｄ）を有し前記グローバルパイロット信号を除去するように入力（６３）を信号処理するパイロット信号消去システム（６１）にも前記システム信号入力（１４７）を前記入力（６３）として入力し、
前記パイロット信号消去システム（６１）の出力（Ｏａｄｄ）を前記トラヒック信号消去システム（１０１）の出力（Ｏ）から減算して前記消去システムの出力（１５１）を生ずる
消去システム。
【請求項２】
前記パイロット信号消去システム（６１）が、
前記入力（６３）に接続され加算出力（Ｏｓｄ１）を有するグローバルパイロット逆拡散器（６５）と、
出力（Ｏｓｄ２）を有する所望トラヒック信号・グローバルパイロット信号間交差相関手段と
を含み、
前記グローバルパイロット逆拡散器（６５）の出力（Ｏｓｄ１）が出力（Ｏｐｍ）を有するパイロット信号強度算定手段に接続され、
前記パイロット信号強度算定手段の出力（Ｏｐｍ）を前記交差相関手段の出力（Ｏｓｄ２）と乗算し、
前記乗算の出力が前記出力（Ｏａｄｄ）である
請求項１記載の消去システム。
【請求項３】
ＣＤＭＡ無線インタフェース経由で送信機から通信信号を受信する受信機用のグローバルパイロット信号消去システム（６１）であって復号化の前に所望のトラヒック信号から前記グローバルパイロット信号を除去するグローバルパイロット信号消去システム（６１）において、
前記通信信号およびシステム出力（Ｏａｄｄ）を受ける入力（６３）を含み、
各々が加算出力を有するグローバルパイロット信号逆拡散器（６５）および所望トラヒック信号逆拡散器（９１）に前記入力が接続されており、
所望トラヒック信号・グローバルパイロット信号交差相関手段をさらに含み、
前記グローバルパイロット信号逆拡散器（６５）出力（Ｏｓｄ１）を出力（Ｏｐｍ）を有するパイロット信号強度算定手段に接続し、
前記パイロット信号強度算定手段の出力（Ｏｐｍ）を前記交差相関手段の出力（Ｏｓｄ２）と乗算し、
前記乗算の積を前記所望トラヒック信号逆拡散器（９１）の加算出力（Ｏｓｄ３）から減算して前記グローバルパイロット信号の影響を免れた前記所望のトラヒック信号出力（Ｏａｄｄ）を出力する
グローバルパイロット信号消去システム（６１）。
【請求項４】
前記グローバルパイロット信号強度を抽出する前記手段が、
出力（Ｏｌｐｆ）を有する低域フィルタ（７５）と、
前記低域フィルタ（７５）に接続され前記グローバルパイロット信号強度（Ｏｐｍ）を抽出し出力するプロセッサ（７７）と
をさらに含む請求項３記載のグローバルパイロット信号消去システム（６１）。
【請求項５】
復号化の前にトラヒック信号から被選択信号を除去する消去システムを有するモバイルユーザ受信機において、
送信機から無線インタフェース経由で通信信号を受けるシステム入力を有する受信機を含み、
出力を有し不要トラヒック信号を消去するトラヒック信号消去システムに前記システム入力を入力として供給し、
出力を有しグローバルパイロット信号を除去するパイロット信号消去システムにも前記システム信号入力を入力として供給し、
前記パイロット信号消去システムの前記出力を前記トラヒック信号消去システムの前記出力から減算して前記不要トラヒック信号および前記グローバルパイロット信号の影響を免れた消去システム出力を生ずる
モバイルユーザ受信機。
【請求項６】
前記トラヒック信号消去システムが、加算／ダンププロセッサに接続されて出力を生ずる所望トラヒック信号逆拡散器および不要トラヒック信号キャンセラを含み、
前記不要トラヒック信号キャンセラが、
前記システム入力に接続した信号入力と、加算出力と、不要トラヒック信号符号発生器と、前記符号発生器の出力と前記システム入力とを混合して不要トラヒック信号逆拡散器加算出力を生ずる第１のミキサとを有する不要トラヒック信号逆拡散器を含み、
前記不要トラヒック信号逆拡散器の前記加算出力を、位相出力およびデータ出力を有する難判定プロセッサに接続し、
前記難判定プロセッサの前記位相出力を、出力を有する低域フィルタに接続し、
前記低域フィルタの前記出力をプロセッサ、すなわち前記不要トラヒック信号と所望のトラヒック信号との交叉相関の結果をフィルタ処理して前記不要トラヒック信号の強度を出力するプロセッサの入力に接続し、
前記プロセッサの出力を前記難判定プロセッサのデータ出力と乗算して、第１の乗算器が調節可能な増幅器に出力を供給し、
前記不要トラヒック信号符号発生器の出力を出力を有する複素共役値プロセッサの入力に接続し、
前記複素共役値プロセッサの出力を前記所望のトラヒック信号符号の複素共役値と出力を有する第２のミキサで混合し、
前記第２のミキサの出力を出力を有する第１の加算／ダンププロセッサの入力に接続し、
前記第１の加算／ダンププロセッサの出力を、前記乗算器の出力により制御可能な可変利得増幅器の入力に接続し、
前記増幅器の前記出力を、それら増幅器の各々の出力を前記所望のトラヒック信号逆拡散器の加算出力から減算して前記トラヒック信号消去システムの出力を生ずる加算器に接続した
請求項５記載のモバイルユーザ受信機。
【請求項７】
前記パイロット信号消去システムが、
前記システム入力に接続され加算出力を有するグローバルパイロット逆拡散器と、
出力を有する所望トラヒック信号・グローバルパイロット信号間交差相関手段と
を含み、
前記グローバルパイロット逆拡散器の出力が出力を有するパイロット信号強度算定手段に接続され、
前記パイロット信号強度算定手段の出力を前記交差相関手段の出力と乗算し、
前記乗算の出力が前記パイロット信号消去システムの出力である
請求項５記載のモバイルユーザ受信機。
【請求項８】
前記交叉相関手段が、
グローバルパイロット拡散用符号複素共役値符号発生器と、
所望トラヒック信号複素共役値符号発生器と、
前記グローバルパイロット拡散用符号と前記所望トラヒック信号複素共役値符号との間の交叉相関をとる第２のミキサと、
前記交叉相関の結果を時間領域で加算する第２の加算／ダンププロセッサと
を含む請求項７記載のモバイルユーザ受信機。
【請求項９】
前記パイロット信号強度算定手段が、
出力を有する低域フィルタと、
前記低域フィルタに接続され、前記グローバルパイロット信号強度を抽出し出力するプロセッサと
をさらに含む請求項８記載のモバイルユーザ受信機。
【請求項１０】
復号化の前に所望のトラヒック信号からグローバルパイロット信号を除去するグローバルパイロット信号消去システムを有するモバイルユーザ受信機において、
送信機から通信信号を受けるシステム入力とシステム出力とを有する受信機を含み、
各々が加算出力を有するグローバルパイロット信号逆拡散器および所望トラヒック信号逆拡散器に前記システム入力が接続されており、
所望トラヒック信号・グローバルパイロット信号交叉相関手段をさらに含み、
前記グローバルパイロット信号逆拡散器の出力を出力を有するパイロット信号強度算定手段に接続し、
前記パイロット信号強度算定手段の出力を前記交叉相関手段の出力と乗算し、
前記乗算の積を前記所望トラヒック信号逆拡散器の出力から減算して前記グローバルパイロット信号の影響を免れた前記所望のトラヒック信号を出力する
モバイルユーザ受信機。
【請求項１１】
前記パイロット信号強度算定手段が、
出力を有する低域フィルタと、
前記低域フィルタ出力に接続され前記グローバルパイロット信号強度を抽出し出力するプロセッサと
をさらに含む請求項１０記載のモバイルユーザ受信機。
【請求項１２】
復号化の前に少なくとも一つの不要トラヒック信号を除去するトラヒック信号消去システムを有するモバイルユーザ受信機において、
送信機からの通信信号を受けるシステム入力およびシステム出力を有する受信機を含み、
第１の加算出力を備える所望トラヒック信号逆拡散器に前記入力が接続されており、
少なくとも一つの不要トラヒック信号キャンセラを含み、前記不要トラヒック信号キャンセラが、
前記第１の加算出力および第２の加算出力に接続した入力を有する不要トラヒック信号逆拡散器と不要トラヒック信号符号発生器と、前記発生器の出力を前記システム入力と混合して不要トラヒック信号逆拡散器加算出力を生ずる第１のミキサ（１１７１−ｎ）と
を含み、
前記不要トラヒック信号逆拡散器加算出力を位相出力およびデータ出力を有する難判定プロセッサに接続し、
出力を有する低域フィルタに前記難判定プロセッサの前記位相出力を接続し、
前記低域フィルタの出力をプロセッサ、すなわち前記不要トラヒック信号と所望トラヒック信号との間の交差相関の結果をフィルタ処理して不要トラヒック信号強度を出力するプロセッサの入力に接続し、
前記プロセッサの出力を可変利得増幅器への出力を有する乗算器で前記難判定プロセッサの前記データ出力と乗算し、
前記不要トラヒック符号発生器の出力を出力を有する複素共役値プロセッサの入力に接続し、
前記複素共役値出力を出力を有する第２のミキサで前記所望のトラヒック信号符号の複素共役値と混合し、
前記第２のミキサの出力を出力を有する第２の加算／ダンププロセッサの入力に接続し、
前記第２の加算／ダンププロセッサを前記乗算器の出力による制御を受ける利得を有する可変利得増幅器の入力に接続し、
前記増幅器が加算器、すなわち前記増幅器の各々の出力を前記所望トラヒック信号逆拡散器の加算出力から減算して前記システム出力を生ずる加算器に接続した出力を有する
モバイルユーザ受信機。
【請求項１３】
トラヒック信号から被選択信号を除去する方法において、
送信機から通信信号を無線インタフェース経由で受けるシステム入力を設ける過程と、
所望のトラヒック信号から不要トラヒック信号を減算した差に等しい出力を有するトラヒック信号消去システムに前記システム入力を入力する過程と、
前記所望のトラヒック信号からグローバルパイロット信号を減算した差に等しい出力を有し前記グローバルパイロット信号を除去するようにパイロット信号消去システムに前記システム入力を入力する過程と、
前記パイロット信号消去システムの出力を前記トラヒック信号消去システムの出力から減算してシステム出力を生ずる過程と
を含む方法。
【請求項１４】
所望のトラヒック信号逆拡散器を出力を生ずるように加算／ダンププロセッサに接続する過程と、
不要トラヒック信号逆拡散器と加算出力とを有する不要トラヒック信号キャンセラを設ける過程と
をさらに含む請求項１３記載の方法。
【請求項１５】
前記不要トラヒック信号逆拡散器の入力信号を前記システム入力に接続する過程と、
前記不要トラヒック信号逆拡散器に不要トラヒック信号符号発生器を設けるとともに、前記発生器の出力を前記信号入力と混合して不要トラヒック信号キャンセラ出力を生ずる過程と、
前記不要トラヒック信号逆拡散器の加算出力を、位相出力およびデータ出力を有する難判定プロセッサに接続する過程と、
前記難判定プロセッサの前記位相出力を、出力を有する低域フィルタに接続する過程と、
前記低域フィルタの出力をプロセッサ、すなわち前記不要トラヒック信号・所望トラヒック信号間交叉相関の結果をフィルタ処理して不要トラヒック信号強度を出力するプロセッサの入力に接続する過程と、
前記プロセッサの出力を前記難判定プロセッサの前記データ出力と乗算して可変利得増幅器に出力を供給する過程と、
前記不要トラヒック信号符号発生器出力を出力を有する複素共役値プロセッサの入力に接続する過程と、
前記複素共役値プロセッサの出力を、出力を有する第２にミキサにより前記所望トラヒック信号符号の複素共役値と混合する過程と、
前記第２のミキサの出力を出力を有する第１の加算／ダンププロセッサの入力に接続する過程と、
前記第１の加算／ダンププロセッサの出力を、前記乗算器の出力による制御を受ける利得を有する増幅器に接続する過程と、
前記増幅器の出力を、それら増幅器の各々の出力を前記所望トラヒック信号逆拡散器の出力から減算して前記トラヒック信号消去システム出力を生ずる加算器に接続する過程と
を含む請求項１４記載の方法。
【請求項１６】
所望のトラヒック信号からグローバルパイロット信号を除去する方法において、
送信機から通信信号を無線インタフェース経由で受ける入力を設ける過程と、
システム出力を有するグローバルパイロット信号消去システムに前記入力を入力する過程と、
各々が加算出力を有するグローバルパイロット信号逆拡散器および所望のトラヒック信号逆拡散器に前記入力を供給する過程と、
所望のトラヒック信号を特定し、グローバルパイロット交叉相関手段を設ける過程と、
前記グローバルパイロット信号逆拡散器の加算出力を出力を有するパイロット信号強度算定手段に供給する過程と、
前記パイロット信号強度算定手段の出力を前記交叉相関手段の出力と乗算する過程と、
前記乗算の積を前記所望トラヒック信号逆拡散器の前記加算出力から減算する過程と、
前記グローバルパイロット信号の影響を免れた前記所望のトラヒック信号を出力する過程と
を含む方法。